(57)【要約】【目的】容器本体内のジュースやミネラルウオーターを飲み干して、該容器本体を破棄する時、その容積を頗る小さくすることが出来るようにしたこと。【構成】容器本体にあって、上端部の飲み口部と、底部の小さい高さ方向の幅と、この飲み口部と高さ方向の幅とを除いて長手方向の全部或いは一部が水平方向の蛇腹状となしてなる。【選択図】図２
2004352275.tif 000002
【特許請求の範囲】
【請求項１】
上端部の飲み口部と、
底部の小さい高さ方向の幅と、
この飲み口部と高さ方向の幅とを除いて長手方向の全部或いは一部が水平方向の蛇腹状となっている容器本体であって、
上記容器の蛇腹状部分が、その長手方向の両方から中心方向に押し圧された際、
上記蛇腹状部分が重なりあった潰された状態となり、上端部の飲み口部と容器本体の連結部分は折曲って、重なった蛇腹状部分内に飲み口部を位置させ、
また、容器本体の底部の高さ方向の幅部分も、折曲って重なった蛇腹状部分内に位置させ、この状態を保つよう構成したことを特徴とする長さ方向が縮小された状態を保つことができる容器。
【請求項２】
上端部の飲み口部と、
底部の小さい高さ方向の幅と、この飲み口部と高さ方向の幅とを除いて長手方向の全部或いは一部が水平方向の蛇腹状となっている容器本体を有し、
上記容器の蛇腹状部分が、その長手方向の両方から中心方向に押し圧された際、
上記蛇腹状部分が重なりあった潰された状態となり、上端部の飲み口部と容器本体の連結部分は折曲って、重なった蛇腹状部分内に飲み口部を位置させ、
また、容器本体の底部の高さ方向の幅部分も、折曲って重なった蛇腹状部分内に位置させ、この状態を保つようにしたことを特徴とする長さ方向が縮小された状態を保つことができる容器の縮小方法。
【請求項３】
上端部の飲み口部と、
底部の小さい高さ方向の幅と、
中間部に設けたフラット部とを有し、この飲み口部と高さ方向の幅とフラット部とを除いて長手方向の全部或いは一部が水平方向の蛇腹状となっている容器本体であって、
上記容器の蛇腹状部分が、その長手方向の両方から中心方向に押し圧された際、
上記蛇腹状部分が重なりあった潰された状態となり、かつ上端部の飲み口部と容器本体の連結部分は折曲って、重なった蛇腹状部分内ａｎｄ／ｏｒフラット部内に飲み口部を位置させ、
また、容器本体の底部の高さ方向の幅部分も、折曲って重なった蛇腹状部分内ａｎｄ／ｏｒフラット部内に位置させ、この状態を保つように構成したことを特徴とする長さ方向が縮小された状態を保つことができる容器。
【請求項４】
上端部の飲み口部と、
底部の小さい高さ方向の幅と、この飲み口部と高さ方向の幅とを除いて長手方向の全部或いは一部が水平方向の蛇腹状となっている容器本体であって、
上記容器の蛇腹状部分が、その長手方向の両方から中心方向に押し圧された際、
上記蛇腹状部分が重なりあった潰された状態となり、上端部の飲み口部と容器本体の連結部分は折曲って、重なった蛇腹状部分内に飲み口部を位置させ、
また、容器本体の底部の高さ方向の幅部分も、折曲って重なった蛇腹状部分内に位置させ、この状態を保ようにしたことを特徴とする長さ方向が縮小された状態を保つことができる容器とその縮小方法。
【発明の詳細な説明】
【０００１】
【発明の属する技術の分野】
本発明は主にストレッチブローとかインデクションブローとか、一般的にはペット樹脂ブローなどと呼ばれているブロー成型方法などで造形されたジュースやミネラルウォーターの容器であって、特に飲み干された時その長さ方向が縮小（容積が縮小）できるようにした容器とその縮小方法に関する。
【０００２】
【従来の技術】
合成樹脂ボトルの生産量は、近年膨大なものになっている。しかし、容器本体内のジュースやミネラルウオーターを飲み干して、該容器本体を破棄する時飲み干す以前の形状の儘であり、これを所謂ゴミ箱に破棄する場合は、まるで空気をゴミ箱に捨てたような状態ですぐ満杯となり、あげくは路上に破棄され、生活環境を悪化させる最大の欠点があり、加えてそれは、飲み干された容器本体の回収費や、清掃の為の人件費は公共事業の大きな負担となっているのである。
【０００３】
またこの種合成樹脂ボトルは、それをブロー成型など手軽な手段で製造できる反面、激しい振動を伴う自動車やその他の搬送手段や、積み重ねられる店頭での展示にあったその強度が未だ充分とは言えないものがあった。
【０００４】
さらにこの事は、容器を製造する業者からジュースやミネラルウオーターを封入する会社に搬送する際も、当該容器本体が嵩ばってまるで空気を搬送しているような状態で、製品の搬送費にかかる割合は相当なものとなっていたのである。
【０００５】
そこで本願発明者は先に液体容器の廃品を回収するに当たって、その容器を簡単に縮小することができるように工夫した液体容器を提供した。これは比較的軟質の合成樹脂で作られ、上端に口部をもった液体容器本体の周壁を蛇腹状としたことである。（特許文献１）
【０００６】
また、これに加え容器本体の垂直方向及び／あるいは捩り方向に負荷を与えることによって、実質的にその容積が縮小するような形状としたこと、およびこの縮小された形状を保持する手段と容器本体の発明（特許文献２）を提唱したが、いずれも上記目的即ち容器本体を押し潰した際未だその高さ、及び容器をより縮小させその状態を保たさせるに充分対処でき得なかった。
【０００７】
（特許文献１）
特開２００１−２１３４１８（要約書）
（特許文献２）
特開２００２−６８１５６  （要約書）
【０００８】
【発明が解決しようとする課題】
総じて本発明の目的は、容器本体内のジュースやミネラルウオーターを飲み干して、該容器本体を破棄する時、その容積を頗る小さくすることが出来るようにしたことであり、従来空の容器本体をゴミ箱に収容しきれなったのに比し、その収容個数を従来の商品と比べさらに頗る増大させたことであり、このことは同時に空の容器本体の搬送を同時に多量に成し得るから、その回収費や清掃回収の為の人件費を、頗る軽減させ得うるようにしたことである。
【０００９】
続いて、容器を製造する業者から、ジュースやミネラルウオーターを封入する会社に搬送する際も、一度の搬送量を従来の量との比較において、さらに著しく増大させたことも本発明の目的である。
【００１０】
また本発明の目的は上記のように、飲干された容器を破棄する時、あるいは搬送する時、その容積を頗る小さくすることが出来るようにしたことであるが、その状態は容器本体に復元力を与えることなく、長時間，あるいは長期間，若しくは再利用の為の粉砕や溶解などの作業時まで、その縮小された形状を保つようにしたことである。
【００１１】
なお、本発明の容器本体の全体形状は、楕円を含む円柱，矩形を含む角柱，截頭を含む円錐および角錐から適宜選ばれるものであり、同水平断面形状を、楕円を含む丸形，矩形を含む角形から適宜選ばれるようにしたことである。
【００１２】
他に本発明の目的は、容器内容物の案内や商標などが印刷されたレッテルを、巻装したり直接容器本体に印刷等成す時、従来のものに比してその面積を大きくすることが出来るようにしたことである。
【００１３】
なお、本発明の容器本体はこれを飲料容器として使用する時、その外観の形状の見栄えがよく、使用する者に多大な興味を持たせかつ、使用中に容器本体が滑り落ちたり、あるいは内容物を溢出させたりする虞も未然に防止できるのであって、この為には長さ方向が縮小された状態を保つことが可能な容器を提供し、その縮小方法を提唱するものである。
【００１４】
【課題を解決するための手段】
本発明の特徴は、上端部の飲み口部と、底部の小さい高さ方向の幅と、この飲み口部と高さ方向の幅とを除いて長手方向の全部或いは一部が水平方向の蛇腹状となっている容器本体で構成されていることである。
【００１５】
而して上記容器の蛇腹部分が、その長手方向の両方から中心方向に押し圧された際、上記蛇腹部分が重なり合った潰された状態となり，上端部の飲み口部と容器本体の連結部分は折曲がって、重なった蛇腹状部分内に位置させ、この状態を保つようにしたことである。
【００１６】
他に本発明の特徴は、上端部の飲み口部と、底部の小さい高さ方向の幅と、中間部に設けたフラット部とを有し、この飲み口部と高さ方向の幅とフラット部とを除いて長手方向の全部或いは一部が水平方向の蛇腹状となっている容器本体で構成されていることである。
【００１７】
而して上記容器の蛇腹部分が、その長手方向の両方から中心方向に押し圧された際、上記蛇腹状部分が重なりあった潰された状態となり、かつ上端部の飲み口部と容器本体の連結部分は折曲って、重なった蛇腹状部分内ａｎｄ／ｏｒフラット部内に飲み口部を位置させ、また、容器本体の底部の高さ方向の幅部分も、折曲がって重なった蛇腹状部分内ａｎｄ／ｏｒフラット部内に位置させ、この状態を保つようにしたことである。
【００１８】
なお上記容器本体の蛇腹状部の形状は、その一方の径が他方の径より小さく他方に行くに従い順次径を拡大させ、下方の径と同等になすようにしたことも、さらに、長さ方向が縮小された状態を保つことが可能な容器の縮小方法であって、上記容器本体の蛇腹状部にそのほぼ直角方向から力を加え、蛇腹状を構成する襞の一片ｏｒ／ａｎｄ一部の内周を一方方向に押す力を与え、その結果外周にはこれと反対方向の力が働き、長さ方向が縮小された蛇腹状を保つようにしたことも本発明の技術的範疇にあるものと考える。
【００１９】
また上記容器本体の全体形状は、楕円を含む円柱，矩形を含む角柱，截頭を含む円錐および角錐，鼓（ＨＯＵＲＧＬＡＳＳ  ＤＲＡＭ−ＳＨＡＰＥＤ），樽形から適宜選ばれるようにしたことも、上記容器本体の水平断面形状を、楕円を含む丸形，矩形を含む角形から適宜選ばれるようにしたことも、上記容器本体の外周に、容器内容物の案内や商標などが印刷されたレッテルを巻装させたことも本発明の技術的な範疇であるものと考える。
【００２０】
さらに上端の中央部より上方に突出させて飲み口部分を設けた容器本体と、上記飲み口部分除きかつ、その長さ（高さ）方向の全長或いは一部で、容器本体の内外壁に形成させた水平方向の蛇腹状と、該蛇腹状部はその上方の径が下方の径より小さく、下方へ行くに従い順次径を拡大させるようにしたもので、上記容器本体の蛇腹状部にそのほぼ直角方向からの力が加わった際、上方の蛇腹状部襞の内径方向は下方に、外径方向は上方に力が働き、下方の蛇腹状部襞の内径方向は上方に、外径方向は上下方に力が働き、上記容器本体の長さ（高さ）が縮小された蛇腹状を保たれるようになしたこと及び、仮令えばジュースを一部飲んだのち携行あるいは保有する場合、その飲み量に応じた分だけ容器本体を縮小させることができるので、その携行あるいは保存の容積をその分だけ少なくすることができるようにした点も本発明の技術的範疇にある。
【００２１】
なお本発明にはその他に優れた発明の目的、特徴、作用効果を有するが、これらは以下の実施例の説明で明らかにする。
【００２２】
【発明の実施の形態】
以下、図面に基づいて本発明の実施形態を説明する。
【００２３】
図１で（１）は容器本体で、その高さ（長さ）方向の外周と内周は蛇腹状（２）となっている。
【００２４】
（実施の形態１）
図３，図６では上記容器本体（１）内の仮令えばミネラルウォータを飲み干してから高さ（長さ）方向にその一方からあるいは両方から押し潰した状態を示した。即ち本発明はこのような容器本体（１）を押し潰した状態とするため及び潰れた状態を保つため秀れた構成を有し、秀れた作用を発揮するのである。
【００２５】
その容器の構成の一例として図１１でわかるように（３）は、その外周に雄ねじを刻設した容器本体（１）の直径約２８ｍｍ，高さ２３ｍｍ程度の飲み口部で、その直下方は下方が直径約５１ｍｍ，に拡大された高さ５〜１０ｍｍの喇叭状連結部（Ｄ）が、飲み口部（３）の軸線上に接続されている。上記容器本体（１）の肩部（Ｃ）にはその内端が水平な『Ｕ』字状の環状溝（Ｅ）があり、上記喇叭状連結部（Ｄ）の末端と環状溝（Ｅ）の内側の辺とは連結している。またＵ字形状の溝（Ｅ）の外側の辺は下方に向う割球状（４）となっており、第１段の蛇腹状（５）の外径（ｄ１）、即ち上記蛇腹状（２）の最上段の外径（ｄ１）は、容器本体（１）の外径（ｄ）より小さい径とする。続いて第１段の蛇腹状（５）に対し第２段の蛇腹状（６）外径の（ｄ２）は、上記第１段の蛇腹状（５）の外径（ｄ１）より大きく容器本体（１）の外径（ｄ）より小さい。
【００２６】
さらにこれと連なりかつ上記第２段の蛇腹状（６）の外径（ｄ２）より大きく容器本体（１）の外径（ｄ）より小さい第３段の蛇腹状（７）の外径（ｄ３）となるように側面からみて階段状となっているが、勿論これは上記のように３段とすることに限らず適宜の複数段でもよいが図の実施例では３段とした。
【００２７】
具体的に図１の容器は高さ１９５ｍｍ×最大直径７１．５ｍｍ，容
量５００ｍｌの容器本体（１）にあって、１２段の壁を有する形状とした。
【００２８】
但しこの場合第１段の蛇腹状（５）の外径（ｄ１）は３０．２５ｍｍ，第２段の蛇腹状（６）の外径（ｄ２）は３３．９５ｍｍであり、これら第１段の蛇腹状（５）と第２段の蛇腹状（６）の間の内径は、４７ｍｍとした。
【００２９】
これと同様、第３段の蛇腹状（７）の外径（ｄ３）は３４．８５ｍｍであり、第２段の蛇腹状（６）と第３段の蛇腹状（７）の間の内径は５１．１ｍｍとした。さらに第４段の蛇腹状（８）の外径（ｄ）は上記容器本体（１）の最大外径である径は３５．７５ｍｍであり、第３段の蛇腹状（７）と第４段の蛇腹状（８）の間の内径は５４．５ｍｍとした。また以下の第５段乃至第１２段の蛇腹状の外径は第４段の蛇腹状（８）の外径（ｄ）と同じであり、それぞれの間の内径もまた上記第３段の蛇腹状（７）と第４段の蛇腹状（８）との間のそれと同一である。
【００３０】
この場合上記各襞は、アダムスキー（Ａｄａｍｓｋｉ）型と呼ばれる未確認飛行物体（ＵＦＯ）のような形状をしており、従って水平方向の上下に２分される。この時図で上記第１段の襞の上（ｈ１）：下（ｈ２）の高さは６．５ｍｍ：５．５ｍｍ，第２段の襞のそれは７ｍｍ：５ｍｍ，第３段の襞のそれは８．５ｍｍ：６．５ｍｍとなした。
【００３１】
より具体的にこれら襞の断面形状を図１３で示している。すなわちこれは上記第１段（５）乃至３段（７）の襞の寸法の例であるが、同図で巾広のそろばん球形状の上面（２０）の形状は、外方向に突出したこの実施例では２０ｍｍＲの湾状（９）となっており、これに対して下面（２１）は０．８ｍｍＲの突出弧状（１０）を介して直線状（１１）となっていることが重要なポイントである。
【００３２】
この実施の形態のこの構成をその作用と併せて説明すると、概略上記図１の状態の容器本体（１）は、中央部及び下部を含む胴部（Ａ）と上方の肩部（Ｃ）に２分され、それぞれの部位（Ａ）（Ｃ）は、それぞれの比較に於いて、その径が大径と小径の２つの径からなっていることから、安定した垂直状態を保っている。
【００３３】
即ち上記中央部と下部を含む胴部（Ａ）は内外径が同一の襞で形成され、肩部（Ｃ）は外観的に飲み口部（３）方向が緩傾斜の凸状に湾曲され、特にこの肩部（Ｃ）は中央部から飲み口部（３）までの間で、襞を形成する谷（１８）の内径を徐々に減少させると共に、その傾斜角度も胴部（Ａ）より差を大きくしたから、この中央部が伸張している状態にあっては襞を形成する山（１７），谷（１８）の内径及び傾斜面は材料の持つ強度と弾性で伸長・伸展状態を保つことができるのである。なお底面（Ｂ）を急傾斜の凹状とすることで所謂「すわり」がよくなること当然である。
【００３４】
さて、容器本体（１）のキャップ（１４）を取外し、内容物を飲み干し容器本体（１）を図３のように両手（Ｇ）（Ｈ）の平（ひら）間に垂直に置き、容器本体（１）の中間方向に、両手（Ｇ）（Ｈ）で押圧すると、図４のように容器本体（１）は押し潰されたような状態となる。
【００３５】
ここで上記押圧するに必要な強い力があればよいが、多くの場合両手の人差し指から小指までを容器本体（１）の底面部（Ｂ）に添わせ、両方の手（Ｇ）（Ｈ）のそれぞれの親指を飲み口部（３）の上図に添わせ、それぞれの指を容器本体（１）の中心方向に押圧すると、図５のように飲み口（３）は容器本体（１）内に埋没するようになる。
【００３６】
この状態に於ける容器本体（１）の上部及び下部を含む胴部（Ａ）は図１１から図１６に示すように、肩部（Ｃ）や胴部（Ａ）が圧縮されて縮んだ状態となる。即ち図１４で示す状態から肩部（Ｃ）の襞を押圧し、谷（１８）の端面が上下の関係で隣に位置する襞の谷端面を圧縮することになる。この時点で襞の山（１７）の頂点からみた状態では、図１５，１６のように両側の谷（１８）がこの山（１７）の頂点側に押し寄せられたことに相当しこの際、襞の上面（２０）は下面（２１）に対して緩傾斜側の圧縮分力は傾斜が少ない為に下面（２１）の急傾斜側の圧縮分力より大きいことから急傾斜側の谷（１８）が山（１７）部の頂点側に移動したことになる。
【００３７】
この時容器本体（１）には２つの大きな変化が生じている。即ちその第１は、上記襞を構成する山（１７）部の内径が拡大圧力で増加、あるいは谷（１８）の内径が圧縮圧力で減少すること、その第２は、襞を構成する下面（２１）の急傾斜面が屈曲することである。
【００３８】
続いてこの急傾斜側が山（１７）部直下を通過して、さらに図１６でみられるように上面（２０）の緩傾斜側の内側に潜り込んで、容器本体（１）の高さを短縮状態まで移動させると、山（１７）の内径及び谷（１８）の内径が復元する力が働き、または下面（２１）が上記の操作で屈曲状態となっていたものを伸展状態に復元して安心した状態となる。従って常に圧縮力を加えておかなくとも、この短縮状態を保つようになることができたのである。
【００３９】
そして内径の小さい谷（１８）は圧縮圧力を受けて、さらに内径が小さくなり、圧力応力が発生している。圧縮圧力が無くなると応力が開放されるように作用し、伸長状態に復元する。そして圧力状態でキャップ（１４）を締め、大気圧を作用させると容器本体（１）は短縮状態を保持し、谷（１８）の内径の差によって圧縮応力が発生しない場合には短縮状態を保持することとなるのである。
【００４０】
この結果容器本体（１）は度重なる実験では、その高さ（容積）が１／３乃至１／４以下となり、これをゴミ箱などに放棄してもそのスペースを格段に少なくすることができたのである。
【００４１】
本発明では、この状態になった後も更に飲み口部（３）を、容器本体（１）の底面（Ｂ）方向に押圧する。このとき容器本体（１）の胴部（Ａ）及び肩部（Ｃ）はそれぞれの襞が密着して折り重なっているため、これ以上押し上げても下降しない。ここでさらに飲み口部（３）を下方に押圧すると、先ず喇叭状の連絡部（Ｄ）の末端辺がＵ字形状の溝（Ｅ）の内側を下方に押圧する。この結果かかる溝（Ｅ）はその外側上端の辺と、肩部（Ｃ）とが連結され固着された状態となっているから、そのＵ字形状が崩れ内側が下方に押された状態で、喇叭状連絡部（Ｄ）の末端部を下方に押圧しつつ拡大する方向に進み、ついには図４に示すように容器本体（１）内に飲み口部（３）と共に押し込まれる状態となるのである。
【００４２】
上記この実施の形態では飲み口部（３）と容器本体（１）の間の連結部（Ｄ）を喇叭状となし、これを潰したとき反転させて容器本体（１）内に嵌入させるようにした。
【００４３】
しかし、飲み口（３）は無理に潰された容器本体（１）内に押し込まなくとも充分にその高さ（即ち容積）を縮小することができる。これを図１で説明すると、容器本体（１）の襞は巾広のＡｄａｍｓｋｉ型のＵＦＯのような形状をしており、従って水平方向の上下に２分される。この時図１で上記第１段の襞の上（ｈ１）下（ｈ２）の高さは６．５ｍｍ：５．５ｍｍ，第２段の襞のそれは７ｍｍ：５ｍｍ，第３段の襞のそれは８．５ｍｍ：６．５ｍｍとなした。
【００４４】
さらに第４段の蛇腹状（８）乃至１２段の蛇腹状の襞の寸法及び襞の上（ｈｘ）下襞の上（ｈｙ）の高さその形状は格段共通なものとなっている。
【００４５】
即ち図において（２０）は巾広のＡｄａｍｓｋｉ型のＵＦＯ形状の内面も含む上面であり、（２１）は巾広のＡｄａｍｓｋｉ型のＵＦＯ形状の内面も含む下面であるが、上面（２０）の形状は外方向に突出したこの実施例では２０ｍｍＲの湾状（９）となっており、これに対して下面（２１）の形状は０．８ｍｍＲの突出弧状（１０）を介して直線状（１１）となっていることが重要なポイントである。
【００４６】
そして内径の小さな谷（１８）は圧縮圧力を受けて圧力応力が発生している。圧縮圧力が無くなると応力が開放されるように作用し、伸長状態に復元する。そして圧力状態でキャップ（１４）を締め、大気圧を作用させると容器本体（１）は短縮状態を保持し、谷（１８）の内径の差によって圧縮応力が発生しない場合には短縮状態を保持することとなるのである。
【００４７】
この実施例は前記のように容器本体（１）の肩部（Ｃ）の襞の径が下方に向うに従い大径とした場合で、その結果押し潰された各襞はその外周辺が内周辺に対して上方となる傾斜上に重ね合わせられる。
【００４８】
その後飲み口部（３）の上面部ａｎｄ／ｏｒ肩部の割球状（４）を押圧すると、その押し下げる力は図１１のように各襞の外周辺にも押し下げる力（Ｆ１）が働き、その結果図１１に示すように中央部及び下部を含む胴部（Ａ）の壁は、その外周辺が内周辺に対して下方となる上記肩部（Ｃ）とは逆方向の傾斜状に重ね合わせられる。
【００４９】
而してこの押し潰された容器本体（１）にあって肩部（Ｃ）の襞の上方の傾斜部を形成する割球状（４）及び湾状（９）と、胴部（Ａ）の襞の下方の傾斜部が所謂「つりあって」容器本体（１）はキャップ（１４）を再び被冠させなくとも潰された状態を保つことができるようになる所以である。
【００５０】
この結果容器本体（１）は度重なる実験では、その高さ（容積）が１／３乃至１／４以下となり、これをゴミ箱などに放棄してもそのスペースを格段に少なくすることができたのである。
【００５１】
さらに上述したように本発明の実施例では飲み口部（３）を押圧することで、該飲み口部（３）を容器本体（１）内に埋入させ、同時に容器本体（１）の底部（Ｂ）周辺も上記容器本体（１）の肩部（Ｃ）を反転させたのと同等の作用で容器本体（１）内に埋入させたから、結果空の容器本体（１）をそのまま捨てる部分に比べその容積（高さ）を１／５程度にコンパクト化することができたのである。
【００５２】
また、飲用容器として通常出廻っている商品は５００ｍｌであるから、一度にこれを「飲み干す」ことはほとんどない。従って、飲み残しがあっても容積はそのままの空の部分がある容器を携行しなくてはならない。その点本発明の容器は飲み干されて空となった部分を縮めて携行できるようにしたから、ハンドバックの中でも容易に収容できるのである。
【００５３】
なお力の比較的弱い子供や女性の場合は、この容器本体（１）を押し潰す作用を「手」だけに頼るだけでなく、図７のように足で踏みつけると極く容易に潰せるのである。
【００５４】
さらに多くの飲料容器に用いられるペットボトルはその商標や内容の説明あるいは出所を表す表示のフラットな掲載部分（Ｊ）が容器本体（１）の中間部に設けられるが、これは図８乃至図１０に示した。
【００５５】
この容器で内容物を飲み干した空の容器本体（１）を押し潰す作用は、前記と同様であるので、その詳細な説明を省くが、上記掲載部分（Ｊ）は、容器本体（１）の中間部にあってその内径が容器本体（１）の蛇腹状部（２）の外径と略等しく造形され、この為容器本体（１）をその上下方向から押し潰すとその飲み口部（３）も底面（Ｂ）及び周辺も掲載部分（Ｊ）に押し込まれて体裁のよい形崩れしない状態で押し潰し状態が保たれ、このことはこれをクズ籠などに捨てるときその収容量を大巾に増しかつ、捨てられた状態も見栄えがよい。
【００５６】
（他の実施の形態）
上記の実施の形態では容器本体（１）の外観断面形状を円筒またはそれに近いものとした。しかし縦長手方向の形状を鼓状とすると握り易く、また図２０のように円錘台形状（Ｋ）や角錘台形状にしたら安定がよく、これらの外観的な形状では適宜の形状から任意のものを選ぶことができる。
【００５７】
また容器本体（１）にあってその上記表示掲載部分（Ｊ）は図２１のように容器本体（１）の下部のみ、あるいは図２２のように上部のみ、または図２３のように面方に設けてもよい。
【００５８】
さらに上記の実施の形態では、容器本体（１）に形成させた蛇腹状（２）の形状を水平な上下方向に連続した環状の襞状とした。
【００５９】
しかし、この形成を連続するスパイラル形状とすることによって、これを潰す場合容器本体（１）の上方あるいは中央に向かって上下方向からの押圧力に加え捻りの力が加わり、より容易に潰せることが判明した。なおこのスパイラル形状は一条のものでなく数条のものでよい。
【００６０】
【発明の効果】
以上述べた本発明の主な効果は、容器本体を破棄する時、その容積を頗る小さくすることが出来るようにしたことであり、ゴミ箱などに収容できる個数を頗る増大させたことである。
【００６１】
またかかる縮小させた容器本体は、その搬送量を同時に多量に成しできるから、その回収費や清掃回収の為の人件費を、頗る軽減できたことである。
【００６２】
さらに本発明の容器本体は、その外観の形状の見栄えがよく、使用する者に多大な興味を持たせかつ、容器本体の蛇腹の形状が摩擦止めとなり、使用中に容器本体が滑り落下させたり、あるいは内容物を溢出させたりする虞も未然に防止できるのである。
【００６３】
また本発明によって潰された状態の容器本体といえどもその形状は意匠的に見栄えのよいもので、そのまま外の容器としても利用できるのである。
【図面の簡単な説明】
【図１】一実施例の容器本体全体の正面図。
【図２】同底面図。
【図３】容器内の液体を飲み干し潰そうとする状態の正面説明図。
【図４】潰しつつある状態の容器全体の正面説明図。
【図５】押し潰す最終段階の容器本体の断面説明図。
【図６】潰し終えた容器本体の断面説明図。
【図７】足で押し潰す例の断面説明図。
【図８】他の実施例の容器本体全体の正面図。
【図９】同押し潰している状態の正面説明図。
【図１０】同押し潰す最終段階の容器本体の断面説明図。
【図１１】潰した状態の一部切欠断面説明図。
【図１２】潰した状態の全体の断面説明図。
【図１３】容器本体を構成する襞の拡大断面説明図。
【図１４】容器本体の潰した時に於ける肩部の変形状態を示し、押圧初期段階を示す。
【図１５】容器本体の潰した時に於ける肩部の変形状態を示し、押圧中間段階を示す。
【図１６】容器本体の潰した時に於ける肩部の変形状態を示し、押圧完了段階を示す。
【図１７】容器本体を潰したときに於ける中央部胴部の変形状態を示し、押圧初期段階を示す。
【図１８】容器本体を潰した時に於ける中央部の変形状態を示し、押圧中間段階を示す。
【図１９】容器本体を潰した時に於ける中央部胴部の変形状態を示し、押圧完了段階を示す。
【図２０】容器本体を円錘台形状とした場合の一例図。
【図２１】同容器本体の正面図にして、広告面を設けた一例図。
【図２２】同容器本体の正面図にして、広告面を設けた一例図２。
【図２３】同容器本体の正面図にして、広告面を設けた一例図３。
【符号の説明】
Ａ    胴部
Ｂ    容器本体（１）の底面部
Ｃ    容器本体（１）の肩部
Ｄ    （喇叭状）連結部
Ｅ    （環状）溝
Ｆ１  押し下げる力
Ｇ    手
Ｈ    手
Ｊ    掲載部分
Ｋ    円錘台形状
ｄ    容器本体（１）の外径
ｄ１  第１段の蛇腹状（５）の外径
ｄ２  第２段の蛇腹状（６）の外径
ｄ３  第３段の蛇腹状（７）の外径
ｈ１  第１段の襞の上
ｈ２  第１段の襞の下
ｈｘ  襞の上
ｈｙ  下襞の上
１    容器本体
２    蛇腹状
３    飲み口部
４    割球状
５    第１段の蛇腹状
６    第２段の蛇腹状
７    第３段の蛇腹状
８    第４段の蛇腹状
９    ２０ｍｍＲの湾状
１０  ０．８ｍｍＲの突出弧状
１１  直線状
１４  キャップ
１７  山
１８  谷
２０  上面
２１  下面
【図１】
2004352275.tif 000003
【図２】
2004352275.tif 000004
【図３】
2004352275.tif 000005
【図４】
2004352275.tif 000006
【図５】
2004352275.tif 000007
【図６】
2004352275.tif 000008
【図７】
2004352275.tif 000009
【図８】
2004352275.tif 000010
【図９】
2004352275.tif 000011
【図１０】
2004352275.tif 000012
【図１１】
2004352275.tif 000013
【図１２】
2004352275.tif 000014
【図１３】
2004352275.tif 000015
【図１４】
2004352275.tif 000016
【図１５】
2004352275.tif 000017
【図１６】
2004352275.tif 000018
【図１７】
2004352275.tif 000019
【図１８】
2004352275.tif 000020
【図１９】
2004352275.tif 000021
【図２０】
2004352275.tif 000022
【図２１】
2004352275.tif 000023
【図２２】
2004352275.tif 000024
【図２３】
2004352275.tif 000025